(57)【特許請求の範囲】
【請求項１】
建物の開口部に設けられた窓枠の内、下枠の下側に装着される下枠装着部材であって、
前記建物の屋内側の床スラブからの立ち上がりにおける、前記建物の開口部から屋外へ露出する部分を覆う屋内側固定板部と、
前記開口部の下側を形成する開口下側形成部の上面に対向し、固定部材を介して前記開口下側形成部に固定される下側固定板部と、
前記屋内側固定板部に対向する前側面を有する浮かし枠板部と、を有し、
前記屋内側固定板部と、前記下側固定板部と、前記浮かし枠板部と、前記下枠の左右両側に設けられた縦枠の横側面下端部とによって囲まれた下枠装着部材空洞部の左右両側には、それぞれ、当該下枠装着部材空洞部の左右両側を塞ぐための密閉板が設けられており、
前記浮かし枠板部は、少なくとも、
前記下側固定板部の屋外側端部からさらに屋外側の方向に延びる浮かし枠下側面と、
前記浮かし枠下側面の屋外側端部から立ち上がって上方へ延びる浮かし枠前側面と、
前記浮かし枠前側面の上端部から屋内側に方向に延びる浮かし枠上側面とを有し、
左右の前記密閉板は、それぞれ、
前記屋内側固定板部の側端部に当接して前記下枠装着部材空洞部を塞ぐ密閉板本体部と、
前記密閉板の外側面に、前記密閉板本体部から前記下枠装着部材空洞部の内側に向かって所定幅でかつ所定長だけ折れ曲げられた後、前記密閉板本体部と平行になるように再度折れ曲がって前記浮かし枠前側面側に向かって延びる折曲片部とを有し、
折曲片部と前記浮かし枠板部の裏側面とによって形成された凹部には凹部閉塞用シールが設けられていることを特徴とする下枠装着部材。
【請求項２】
請求項１記載の下枠装着部材において、
前記屋内側固定板部の屋外側の側面には、屋外側に突出して前記下枠における屋内側の下端部が当接する下枠支持用突条部が設けられていることを特徴とする下枠装着部材を用いたサッシ。
【請求項３】
請求項１または請求項２に記載の下枠装着部材において、
左右の前記密閉板には、それぞれ、左右の前記縦枠の横側面に充填された現場用シールに連続して、前記縦枠の長手方向で前記密閉板の下端部まで延びる現場用シールが充填されていることを特徴とする下枠装着部材。
【発明の詳細な説明】
【技術分野】
【０００１】
本発明は、建物の開口部に障子を取り付けるための下枠、縦枠および上枠の内、下枠の下側に装着される下枠装着部材に関する。
【背景技術】
【０００２】
ベランダや玄関等の出入口に取り付ける下枠装着部材として、例えば、内障子用のレールと、外障子用のレールと、網戸用のレールとを有するものが既に提案されている（例えば、特許文献１参照。）。
【０００３】
また、最近のマンションなどでは、上階の足音等が床材等を介して階下に伝わって騒音とならないように、また配管や電気配線等の空間を確保するため、床スラブの上に間隔を空けて床材の高さを高く設置する二重床構造が採用されている（例えば、特許文献２参照。）。
【先行技術文献】
【特許文献】
【０００４】
【特許文献１】特開２００４−１６２３１４号公報
【特許文献２】特開２００３−２３９４２６号公報
【発明の概要】
【発明が解決しようとする課題】
【０００５】
ところで、上述の特許文献２に記載した二重床構造のように、屋内の床材面の高さを高くすると、ベランダ床面などの屋外の床面から屋内の床材面までの高さも必然的に高くなる。
【０００６】
しかしながら、上述の特許文献１に記載の下枠では、ベランダ床面などの屋外の床面から屋内の床材面までの高さが高くなった場合、下枠の高さもベランダの床面に対し高くなるため、屋外の床面にモルタルを高く打設するなどしなければならず、コストがかかると共に、手間がかかるという問題があった。
【０００７】
そこで、本発明はこのような課題に着目してなされたもので、ベランダ床面などの屋外の床面から屋内の床材面までの高さが高くなった場合でも、屋外の床面にモルタルを高く打設する必要がなく、コストおよび手間の増大を防止することができる下枠装着部材を提供することを目的とする。
【課題を解決するための手段】
【０００８】
前記課題を解決するため、本発明に係る下枠装着部材は、建物の開口部に設けられた窓枠の内、下枠の下側に装着される下枠装着部材であって、前記建物の屋内側の床スラブからの立ち上がりにおける、前記建物の開口部から屋外へ露出する部分を覆う屋内側固定板部と、前記開口部の下側を形成する開口下側形成部の上面に対向し、固定部材を介して前記開口下側形成部に固定される下側固定板部と、前記屋内側固定板部に対向する前側面を有する浮かし枠板部と、を有することを第１の特徴とする。
また、本発明に係る下枠装着部材は、前記下枠装着部材において、前記屋内側固定板部の屋外側の側面には、屋外側に突出して前記下枠における屋内側の下端部が当接する下枠支持用突条部が設けられていることを第２の特徴とする。
また、本発明に係る下枠装着部材は、前記下枠装着部材において、前記屋内側固定板部と、前記下側固定板部と、前記浮かし枠板部と、前記下枠の左右両側に設けられた縦枠の横側面下端部とによって囲まれた下枠装着部材空洞部の左右両側には、それぞれ、当該下枠装着部材空洞部の左右両側を塞ぐための密閉板が設けられていることを第３の特徴とする。
また、本発明に係る下枠装着部材は、前記下枠装着部材において、前記浮かし枠板部は、少なくとも、前記下側固定板部の屋外側端部からさらに屋外側の方向に延びる浮かし枠下側面と、前記浮かし枠下側面の屋外側端部から立ち上がって上方へ延びる浮かし枠前側面と、前記浮かし枠前側面の上端部から屋内側に方向に延びる浮かし枠上側面とを有し、左右の前記密閉板は、それぞれ、前記屋内側固定板部の側端部に当接して前記下枠装着部材空洞部を塞ぐ密閉板本体部と、前記密閉板の外側面に、前記密閉板本体部から前記下枠装着部材空洞部の内側に向かって所定幅でかつ所定長だけ折れ曲げられた後、前記密閉板本体部と平行になるように再度折れ曲がって前記浮かし枠前側面側に向かって延びる折曲片部とを有し、折曲片部と前記浮かし枠板部の裏側面とによって形成された凹部には凹部閉塞用シールが設けられていることを第４の特徴とする。
また、本発明に係る下枠装着部材は、前記下枠装着部材において、左右の前記密閉板には、それぞれ、左右の前記縦枠の横側面に充填された現場用シールに連続して、前記縦枠の長手方向で前記密閉板の下端部まで延びる現場用シールが充填されていることを第５の特徴とする。
【発明の効果】
【０００９】
本発明に係る下枠装着部材は、少なくとも屋内側固定板部と、下側固定板部と、浮かし枠板部とを備え、下枠の下側に装着されて使用されるため、ベランダ床面などの屋外の床面から屋内の床材面までの高さが高くなった場合でも、下枠装着部材によって下枠の高さ位置が上がるので、屋外の床面にモルタルを高く打設する必要がなくなり、コストおよび手間の増大を防止することができる。
【図面の簡単な説明】
【００１０】
【図１】本発明に係る実施形態の下枠装着部材を装着した下枠を含む建物の外観の一例を示す正面図である。
【図２】図１におけるＡ−Ａ線断面図である。
【図３】図１におけるＡ−Ａ線断面要部拡大図である。
【図４】図１におけるＡ−Ａ線断面部分拡大図である。
【図５】本発明に係る実施形態の下枠装着部材の斜視図である。
【図６】（ａ），（ｂ）それぞれ本発明に係る実施形態の下枠装着部材を構成する右側の密閉板であってバックアップ部材および現場シールストッパを取り付ける前の斜視図、バックアップ部材および現場シールストッパを取り付けた後の斜視図である。
【図７】（ａ）〜（ｃ）それぞれ本発明に係る実施形態の下枠装着部材を構成する右側の密閉板（バックアップ部材および現場シールストッパ無し）の平面図、正面図、底面図である。
【図８】（ａ）〜（ｃ）それぞれ本発明に係る実施形態の下枠装着部材を構成する右側の密閉板（バックアップ部材および現場シールストッパ無し）の背面図、左側面図、右側面図である。
【図９】本発明に係る実施形態の下枠装着部材（凹部閉塞用シール付き）を装着した下枠の右側端部の一部切欠拡大正面図である。
【図１０】本発明に係る実施形態の下枠装着部材（凹部閉塞用シール付き）を装着した下枠周辺の拡大右側面図である。
【図１１】本発明に係る実施形態の下枠装着部材（凹部閉塞用シール、縦枠および密閉板本体部用の現場シール付き）を装着した下枠の右側端部の側面図である。
【図１２】図１におけるＢ−Ｂ線部分断面図である。
【図１３】本発明に係る実施形態の下枠装着部材（凹部閉塞用シール、縦枠および密閉板本体部、浮かし枠上側面上部、浮かし枠下側面下部用の現場シール付き）を装着した下枠の右側端部の部分拡大正面図である。
【図１４】サッシの下枠に装着した本発明に係る実施形態の下枠装着部材の他の例の断面構造等を示す断面図である。
【発明を実施するための形態】
【００１１】
以下、本発明に係る下枠装着部材の実施形態について、図面を参照して説明する。尚、以下に説明する実施形態はあくまで本発明の一具体例であり、本発明が下記に説明する実施形態に限定されるものではなく、本発明の技術的思想の範囲内で適宜変更可能である。
【００１２】
実施形態の下枠装着部材１は、図１に示すように、鉄筋コンクリート等から建造されたマンション（集合住宅）等の建物５の開口部５１に設けられた引き戸枠や開き戸枠等の下枠２、左右の縦枠３，３、上側の上枠４の内、下側に装着される部材である。
【００１３】
図１の場合、下枠２、左右の縦枠３，３および上枠４によって囲まれた枠によって外障子７１および内障子７２と、図示しない網戸とを左右に走行させ、開口部５１を介し建物５の屋内外を連絡させたり、屋内と屋外を分断できるようにしている。
【００１４】
ここで、図１および図２等に示すように、開口部５１は、その下端部が建物５のベランダ床面５２まで延びて形成されており、居住者が開口部５１を通って屋内側の床材５９から屋外側のベランダ床面５２へ、あるいはその反対に移動できるような大きさで形成されている。
【００１５】
また、建物５の屋内側は、例えば、図２に示すように、床スラブ面５３に立設された、支持脚５５、大引き材５６、根太５７および合板５８等を介してフローリング等の床材５９が設置されており、床スラブ面５３の上方に所定幅の空間が形成された二重床構造を構成している。尚、図２に示す屋内側の床構造は、あくまで一例であり、これら以外の部材が追加されていても、合板５８等が省略されていても良い。尚、符号５４は、吹き付け等によって形成された断熱材である。
【００１６】
屋内側となる床スラブ面５３と屋外側となるベランダ床面５２との間には、図２に示すように、ベランダ床面５２と床スラブ面５３との境界となる、防水モルタル等によって形成された開口下側形成部６０が形成されており、この開口下側形成部６０には、先端が突出した状態のアンカーボルト６１が床スラブに埋設されている。
【００１７】
そして、この開口下側形成部６０の上面には、図３に示すように、係合爪６２ａを回転させることによって後述する下枠装着部材１の下側固定板部１２の被係合部１２ａに係合して下枠装着部材１を開口下側形成部６０の上面に固定する固定部材６２がアンカーボルト６１に溶接で固定されている。
【００１８】
＜下枠２の構成＞
下枠２は、図３に示すように、内障子７２（図１参照。）が走行する内障子用レール２１と、外障子７１（図１参照。）が走行する外障子用レール２２と、網戸（図示せず。）が走行する網戸用レール２３とを有している。尚、ここでは、内障子用レール２１、外障子用レール２２、網戸用レール２３の高さを変えているが、同じ高さに設けても良い。
【００１９】
下枠２の屋内側には、図４等に示すように屋内側固定板部１１に沿って下方へ曲がり、その下端部２４ａが後述する屋内側固定板部１１の下枠支持用突条部１１ａに当接して、下枠２にかかる内障子７２や外障子７１等の重量や荷重等を、下枠支持用突条部１１ａへ伝える下枠屋内側フランジ部２４が設けられている。
【００２０】
下枠屋内側フランジ部２４の下端部２４ａは、屋内側固定板部１１の屋外側の側面に設けられ、屋外側に突出している水平方向に延びる下枠支持用突条部１１ａに当接して、下枠２や下枠屋内側フランジ部２４に接合する下枠２にかかる荷重を支持したり、下枠２に対する本実施形態の下枠装着部材１の鉛直方向の位置決め効果を有する。
【００２１】
そのため、下枠２にかかる外障子用レール２２や内障子用レール２１、網戸等の荷重や、下枠２にかかる居住者の体重等を下枠装着部材１に確実に伝達でき、屋内側固定板部１１と下枠屋内側フランジ部２４との接合が剥がれて軋み音等が発生することを防止できると共に、下枠２に本実施形態の下枠装着部材１をネジ８１等により固定する際、ネジ孔同士の位置合わせが容易となり、作業効率が向上する。
【００２２】
また、下枠屋内側フランジ部２４の上端部には、図３や図４等に示すように、屋内側に向かって床材５９の表面に沿って水平方向に所定長だけ延びる床材端部固定フランジ部２４ｂが設けられており、その下面が床材５９の端部を押さえた床材枠部５９ａの上面に重なって皿ネジ８２等によって床材５９を固定している。
【００２３】
また、下枠２の屋外側の下側面には、下方に所定長だけ延び、浮かし枠板部１３の後述する浮かし枠上側フランジ部１３ａに重なってネジ８１等により固定される下枠屋外側フランジ部２５が設けられている。
【００２４】
また、下枠２の外障子用レール２２の反対側には、サッシの縦枠３，３を固定するネジ８１等により固定するためのネジ受け部２６が設けられている。
【００２５】
＜下枠装着部材１の構成＞
実施形態の下枠装着部材１は、図３に示すように、屋内側固定板部１１と、下側固定板部１２と、浮かし枠板部１３と、上側板部１４と、密閉板１５と、バックアップ材１６、凹部閉塞用シール１７と、現場シールストッパ１８と、現場シール１９ａ〜１９ｄとを備える。尚、凹部閉塞用シール１７と現場シール１９ａ〜１９ｄについては、図９以降で説明する。
【００２６】
（屋内側固定板部１１の構成）
屋内側固定板部１１は、図２や図３等に示すように建物５の屋内側の床スラブ面５３からの立ち上がりにおける、建物５の開口部５１から屋外へ露出する部分を覆うものである。
【００２７】
屋内側固定板部１１の屋外側となる外側面には、図４に示すように上端部より低い位置に下枠２の下枠屋内側フランジ部２４の下端部２４ａが当接して下枠２を支持する下枠支持用突条部１１ａが設けられている。
【００２８】
また、屋内側固定板部１１の屋外側となる外側面の下枠支持用突条部１１ａの下方には、縦枠３，３の下端部が当接して、縦枠３，３の鉛直方向の位置決め等をする縦枠支持用突条部１１ｂが設けられている。
【００２９】
また、屋内側固定板部１１の下側の内側面には、サッシの両縦枠３，３の下端部の下方に形成され、屋内側固定板部１１、下側固定板部１２、浮かし枠板部１３および上側板部１４によって囲まれた下枠装着部材空洞部２０の両側を塞ぐ密閉板１５をネジ８１等により固定するためのネジ受け部１１ｃが設けられている。
【００３０】
（下側固定板部１２の構成）
下側固定板部１２は、浮かし枠下側面１３ｄの上端部から屋内側へ向かって傾斜状態で延びていく面であって、その下側面には、床スラブに埋設されたアンカーボルト６１に溶接等されて固定された固定部材６２の係合爪６２ａが係合する一対の被係合部１２ａ，１２ａが設けられている。
【００３１】
また、下側固定板部１２における屋外側の内側面には、サッシの両縦枠３，３の下端部の下方に形成され、下側固定板部１２、屋内側固定板部１１、上側板部１４および浮かし枠板部１３によって囲まれた下枠装着部材空洞部２０の両側を塞ぐ密閉板１５をネジ８１等により固定するためのネジ受け部１２ｂが設けられている。
【００３２】
（浮かし枠板部１３の構成）
浮かし枠板部１３は、図３〜図５に示すように、断面形状コ字形状にさらにフランジが付いた形状で構成されており、浮かし枠上側フランジ部１３ａと、浮かし枠上側面１３ｂと、浮かし枠前側面１３ｃと、浮かし枠下側面１３ｄと、浮かし枠下側フランジ部１３ｅとを有する。
【００３３】
浮かし枠上側フランジ部１３ａは、図３〜図５に示すように、下枠２の網戸用レール２３の下側面に設けられた下枠屋外側フランジ部２５に重なって、ネジ８１等により固定される部分である。
【００３４】
浮かし枠上側面１３ｂは、図３〜図５に示すように、浮かし枠上側フランジ部１３ａの下端部から屋外側、すなわちベランダ側へ延びる面であり、ベランダ側へ向かって下がるように傾斜している。
【００３５】
浮かし枠前側面１３ｃは、図３〜図５に示すように、浮かし枠上側面１３ｂの屋外側端部から折れ曲がって鉛直方向下向きに延びる面である。
【００３６】
浮かし枠下側面１３ｄは、図３および図５に示すように、外側の浮かし枠前側面１３ｃの下端部から折れ曲がって屋内側へ床スラブ面５３とほぼ平行、すなわち水平方向に延びる面で、開口部５１の下方、すなわち屋外側のベランダ床面５２と屋内側の床スラブ面５３との境界となる、防水モルタル等によって形成された開口下側形成部６０の屋外側端部まで延びる面である。
【００３７】
浮かし枠下側フランジ部１３ｅは、図３および図５に示すように、浮かし枠下側面１３ｄの屋内側端部から下方へほぼ９０度折れ曲がり、開口下側形成部６０の外側面に沿って所定長だけ延びる面である。
【００３８】
（上側板部１４の構成）
また、上側板部１４は、図３〜図５に示すように、屋内側固定板部１１の高さ方向のほぼ中央と、浮かし枠板部１３における浮かし枠上側フランジ部１３ａと浮かし枠上側面１３ｂの境界との間に設けられる部分である。上側板部１４における浮かし枠上側フランジ部１３ａと浮かし枠上側面１３ｂの境界側の内側面には、下枠装着部材空洞部２０の両側を塞ぐ密閉板１５をネジ８１等により固定するためのネジ受け部１４ａが設けられている。
【００３９】
（密閉板１５の構成）
密閉板１５は、屋内側固定板部１１、下側固定板部１２、浮かし枠板部１３および上側板部１４によって囲まれた下枠装着部材空洞部２０の両側を塞ぐ一対の板である。
【００４０】
右側の密閉板１５の具体的な構成は、図６〜図８に示すように、密閉板本体部１５ａと、密閉板上側フランジ部１５ｂと、下側折曲片部１５ｃと、上側折曲片部１５ｄと、中央折曲片部１５ｅとを有する。尚、左側の密閉板１５は、図６〜図８に示す右側の密閉板１５と対照的に構成されている。
【００４１】
密閉板本体部１５ａは、屋内側固定板部１１の側端部に当接して下枠装着部材空洞部２０を塞ぐもので、屋内側固定板部１１のネジ受け部１１ｃや、下側固定板部１２のネジ受け部１２ｂ、上側板部１４のネジ受け部１４ａにそれぞれ位置を合わせて、ネジ８１が通るネジ孔１５ａ１が３箇所設けられている。
【００４２】
密閉板上側フランジ部１５ｂは、密閉板本体部１５ａの上端部から縦枠３の横側面下端部まで延びる部分で、縦枠３の横側面下端部と下枠装着部材１の屋内側固定板部１１上面との間に隙間があるため、その隙間を塞ぐために設けている。
【００４３】
下側折曲片部１５ｃは、密閉板本体部１５ａにおける浮かし枠板部１３の浮かし枠下側フランジ部１３ｅの延長線上から下枠装着部材空洞部２０の内側に向かって所定幅でかつ所定長だけ折れ曲がった後、密閉板本体部１５ａと平行になるように再度折れ曲がって浮かし枠前側面１３ｃの下端部裏側に向かって延びる部分である。従って、下側折曲片部１５ｃは、平面視、ほぼＬ字形状となる。また、図６（ｂ）に示すように密閉板本体部１５ａと平行になるように再度折れ曲がって浮かし枠前側面１３ｃの下端部裏側に向かって延びる部分には、ＰＥ（ポリエチレン）発泡材等から構成されたバックアップ材１６が貼り付けられている。
【００４４】
上側折曲片部１５ｄは、密閉板本体部１５ａにおける浮かし枠板部１３の上側フランジ部１３ａの延長線上から下枠装着部材空洞部２０の内側に向かって所定幅でかつ所定長だけ折れ曲がった後、密閉板本体部１５ａと平行になるように再度折れ曲がって浮かし枠前側面１３ｃの上端部裏側に向かって延びる部分である。従って、上側折曲片部１５ｄは、図６（ａ），（ｂ）等に示すように下側折曲片部１５ｃと同様、平面視、ほぼＬ字形状となる。また、図６（ｂ）に示すように密閉板本体部１５ａと平行になるように再度折れ曲がって浮かし枠前側面１３ｃの上端部裏側に向かって延びる部分には、同様のバックアップ材１６が貼り付けられている。
【００４５】
中央折曲片部１５ｅは、図６（ａ），（ｂ）等に示すように密閉板本体部１５ａにおける下側折曲片部１５ｃと上側折曲片部１５ｄとの間に挟まれ、下側折曲片部１５ｃと上側折曲片部１５ｄよりも浮かし枠前側面１３ｃに近接した位置まで延び、下枠装着部材空洞部２０の内側に向かって下側折曲片部１５ｃおよび上側折曲片部１５ｄよりも大きな幅でかつ同一長だけ折れ曲がった後、密閉板本体部１５ａと平行になるように再度折れ曲がって浮かし枠前側面１３ｃの中央部裏側に向かって延びる部分である。従って、中央折曲片部１５ｅは、図６（ａ），（ｂ）等に示すように下側折曲片部１５ｃおよび上側折曲片部１５ｄと同様、平面視、ほぼＬ字形状となる。
【００４６】
また、下側折曲片部１５ｃおよび下側折曲片部１５ｃと同様に、中央折曲片部１５ｅにおいて密閉板本体部１５ａと平行になるように再度折れ曲がって浮かし枠前側面１３ｃの上端部裏側に向かって延びる部分には、同様のバックアップ材１６が貼り付けられている。
【００４７】
また、下側折曲片部１５ｃと上側折曲片部１５ｄの間であって密閉板本体部１５ａにおける中央折曲片部１５ｅ側の突出部分と中央折曲片部１５ｅとによって囲まれた部分にも、図６（ｂ）に示すように同様のバックアップ材１６が貼り付けられる。
【００４８】
さらに、密閉板本体部１５ａにおける中央折曲片部１５ｅ側の外側面には、図６（ｂ）に示すように、現場シール１９を充填する際、屋内側に行き過ぎることを防止するため、ＰＥ（ポリエチレン）発泡材等から構成された現場シールストッパ１８が貼り付けられる。
【００４９】
そして、以上のように構成された密閉板１５を、下枠装着部材空洞部２０の両側を塞ぐように取り付け、ネジ８１によって固定した後は、後述する図９および図１０に示すように、下側折曲片部１５ｃと上側折曲片部１５ｄと中央折曲片部１５ｅと浮かし枠板部１３の裏側面とによって形成された略コ字状の凹部にポリサルファイド系シーリング材である凹部閉塞用シール１７を充填して、浮かし枠板部１３の両側開口部と左右の密閉板１５の接合部分から雨水等が下枠装着部材空洞部２０の中に浸水することを防止する。
【００５０】
尚、説明の便宜上、図６（ａ）、図７（ａ）〜（ｃ）および図８（ａ）〜（ｃ）では、これらのバックアップ材１６や現場シールストッパ１８、出荷時に充填する出荷時シールである凹部閉塞用シール１７は省略して示している。
【００５１】
＜下枠２の下側に本実施形態の下枠装着部材１を装着＞
下枠２の下側に以上のように構成された本実施形態の下枠装着部材１を装着してネジ８１等により固定すると、図９および図１０に示すようになる。
【００５２】
図９は、凹部閉塞用シール１７を充填した本実施形態の下枠装着部材１を装着した下枠２の右側端部の一部切欠拡大正面図、図１０は、下枠２周辺の拡大右側面図である。
【００５３】
つまり、右側に装着した下枠装着部材１周辺では、図９に示すように、密閉板１５の下側折曲片部１５ｃ、上側折曲片部１５ｄおよび中央折曲片部１５ｅによって形成された凹部に、それぞれのバックアップ材１６の上から工場出荷時に凹部閉塞用シール１７を充填すると共に埋め入れる。
【００５４】
そのため、図１０に示すように、縦枠３の前側面フランジ部３３の延長線Ｖよりも屋外側に、凹部閉塞用シール１７は、浮かし枠板部１３の浮かし枠上側面１３ｂや、浮かし枠前側面１３ｃおよび浮かし枠下側面１３ｄ（図３等参照。)と共に、突出することになる。
【００５５】
＜現場シール１９の充填＞
図１１は、本発明に係る実施形態の下枠装着部材１に凹部閉塞用シール１７、縦枠３および密閉板本体部１５ａ用の現場シール１９ａ，１９ｂを充填した下枠２および下枠装着部材１の右側端部の側面図、図１２は、図１におけるＢ−Ｂ線部分断面図、図１３は、さらに浮かし枠上側面１３ｂ上部、浮かし枠下側面１３ｄ下部用の現場シール１９ｃ，１９ｄを充填した下枠２および下枠装着部材１の右側端部の部分拡大正面図である。
【００５６】
図１１および図１２に示すように、通常、縦枠３の前側横側面３２および前側面フランジ部３３に、建物５との間の隙間を防ぐよう、図１２や図１３に示すように、例えば、変成シリコーン系シーリング材からなる現場用シール１９ａを充填して縦枠３の前側面３１と建物５との間から屋内側への雨水等の浸入を防止する。
【００５７】
しかし、本実施形態では、下枠２の下側に下枠装着部材１を装着しているため、縦枠３と開口下側形成部６０との間に下枠装着部材１が存在しており、下枠装着部材１を密閉板１５の横から下枠装着部材空洞部２０を通って室内側へ雨水等が浸入する虞がある。
【００５８】
そのため、本実施形態の下枠装着部材１では、図１１および図１２に示すように、縦枠３の前側横側面３２に充填した現場用シール１９ａをその下方へ連続したまま、隙間が空かないよう続けて密閉板１５の密閉板本体部１５ａの外側面に充填する。
【００５９】
その際、本実施形態の下枠装着部材１では、図１０等に示すように密閉板１５の密閉板本体部１５ａ外側面に、屋外側側面がほぼ縦枠３の前側面フランジ部３３の延長線Ｖ上に位置するように現場シールストッパ１８が工場出荷時から貼り付けられている。
【００６０】
そのため、ベランダ床面５２に近い低い箇所に設けられた本実施形態の下枠装着部材１であっても、密閉板１５の密閉板本体部１５ａ外側面に現場用シール１９ａを充填する際、下方（鉛直方向）に真っ直ぐに効率良く充填することができ、屋内側への雨水等の浸入を確実に防止できる。
【００６１】
また、本実施形態の下枠装着部材１では、図１０等に示したように、浮かし枠板部１３の裏側面と密閉板１５の下側折曲片部１５ｃと上側折曲片部１５ｄと中央折曲片部１５ｅとによって形成された略コ字状の凹部に凹部閉塞用シール１７を充填して浮かし枠板部１３の両側開口部と左右の密閉板１５の接合部分から雨水等が下枠装着部材空洞部２０の中に浸水することを防止しているが、さらに下枠装着部材空洞部２０の中に浸水することを防止ため、図１１〜図１３に示すように密閉板１５の密閉板本体部１５ａ外側面に現場用シール１９ａに密接させて、凹部閉塞用シール１７や、密閉板１５の密閉板本体部１５ａにおける延長線Ｖよりも屋外側に突出した部分を覆うように、変成シリコーン系シーリング材からなる現場用シール１９ｂを充填している。
【００６２】
さらに、本実施形態の下枠装着部材１では、図１３に示すように、下枠２の屋外側端部と浮かし枠板部１３の浮かし枠上側面１３ｂとの間の凹部には、水平方向に延びる同様の現場用シール１９ｃを充填する一方、浮かし枠板部１３の浮かし枠下側面１３ｄと開口下側形成部６０の屋外側端部上面との間の凹部にも現場用シール１９ｃと同様に水平方向に延びる同様の現場用シール１９ｄを充填する。
【００６３】
つまり、図１１〜図１３に示すように、本実施形態の下枠装着部材１では、右両側の縦枠３，３や、下枠２、左および開口下側形成部６０との間には、少なくとも下枠装着部材１の周囲を囲むように現場用シール１９ａ〜１９ｄを充填することにより、下枠装着部材１内や、建物５の構造体内、屋内への雨水の浸入を防止している。
【００６４】
＜本実施形態の下枠装着部材１の効果＞
従って、以上説明した本実施形態の下枠装着部材１によれば、屋内側固定板部１１と、下側固定板部１２と、浮かし枠板部１３と、上側板部１４とを備え、下枠２の下側に装着して使用するため、二重床構造等によってベランダ床面５２から屋内の床材面５９ｂまでの高さが高くなった場合でも、下枠装着部材１によって下枠２の高さ位置が上がるので、ベランダ床面５２にさらにモルタルを高く打設する必要がなくなり、コストおよび手間の増大を防止することができる。
【００６５】
また、本実施形態の下枠装着部材１では、屋内側固定板部１１の屋外側の側面には、屋外側に突出して下枠２における屋内側、すなわち断熱材５４側の下枠屋内側フランジ部２４の下端部２４ａが当接する下枠支持用突条部１１ａが設けられているため、下枠２の下側に下枠装着部材１を取り付ける際、屋内側固定板部１１と下枠屋内側フランジ部２４の位置決めが容易になり、作業性が向上する。
【００６６】
また、下枠支持用突条部１１ａによって下枠２に常時かかる内障子７２や外障子７１の荷重や、時折下枠２にかかる住居者の荷重を支持することも可能となり、屋内側固定板部１１と下枠屋内側フランジ部２４との接合が強固になり、屋内側固定板部１１と下枠屋内側フランジ部２４との接合が剥がれて軋み音等が発生することも防止できる。
【００６７】
また、本実施形態の下枠装着部材１では、屋内側固定板部１１と、下側固定板部１２と、浮かし枠板部１３と、上側板部１４とによって囲まれた下枠装着部材空洞部２０の左右両側には、それぞれ、下枠装着部材空洞部２０の左右両側を塞ぐための密閉板１５，１５を設けているため、二重床構造にするため下枠２の下側に本実施形態の下枠装着部材１を装着した場合でも、下枠装着部材１内、すなわち下枠装着部材空洞部２０内に雨水等が浸入することを防止でき、引いては建物５自体や屋内への雨水等が浸入を防止できる。
【００６８】
また、本実施形態の下枠装着部材１では、浮かし枠板部１３は、少なくとも浮かし枠下側面１３ｄと、浮かし枠前側面１３ｃと、浮かし枠上側面１３ｂとを有し、左右の密閉板１５，１５は、それぞれ、密閉板本体部１５ａと、密閉板上側フランジ部１５ｂと、下側折曲片部１５ｃと、上側折曲片部１５ｄと、中央折曲片部１５ｅとを有し、下側折曲片部１５ｃと上側折曲片部１５ｄと中央折曲片部１５ｅと浮かし枠板部１３の裏側面とによって形成された略コ字状の凹部には凹部閉塞用シール１７を充填したため、下枠２の下側に本実施形態の下枠装着部材１を装着した場合でも、浮かし枠板部１３の両側開口部と左右の密閉板１５，１５の接合部分から雨水等が下枠装着部材空洞部２０の中に浸水することを防止できる。
【００６９】
また、本実施形態の下枠装着部材１では、さらに、左右の縦枠３，３の前側横側面３２，３２には、それぞれ、縦枠３，３の長手方向に延びる現場用シール１９ａ，１９ａが充填されている一方、左右の密閉板１５，１５には、それぞれ、現場用シール１９ａ，１９ａに連続したまま、隙間が空かないよう続けて密閉板１５，１５の下端部まで延びる現場用シール１９ａ，１９ａを充填しているため、下枠装着部材１内や建物５の構造体内、屋内への雨水の浸入をさらに防止できる。
【００７０】
尚、上記の説明では、下枠装着部材１に上側板部１４を設けて説明したが、本発明では、これに限らず、図１４に示す他の実施形態のように上側板部１４を省略してロックウール等を充填しても良い。つまり、図１４に示す他の実施形態の下枠装着部材１は、屋内側固定板部１１と、下側固定板部１２と、浮かし枠板部１３と、密閉板１５と、バックアップ材１６、凹部閉塞用シール１７と、現場シールストッパ１８と、現場シール１９ａ〜１９ｄとを備え、上側板部１４を省略している。また、密閉板に形成された凹部は、略コ字状の形状に限定されるものではない。
【００７１】
また、上記の説明では、密閉板１５に、密閉板本体部１５ａと、密閉板上側フランジ部１５ｂと、下側折曲片部１５ｃと、上側折曲片部１５ｄと、中央折曲片部１５ｅとを設けて説明したが、本発明では、これに限らず、密閉板上側フランジ部１５ｂを省略しても良いし、また折曲片部として下側折曲片部１５ｃ、上側折曲片部１５ｄおよび中央折曲片部１５ｅの３つを設けずに、１つの折曲片部あるいは４つ以上の折曲片部を適宜設けるようにして勿論良い。
【符号の説明】
【００７２】
１  下枠装着部材
１１  屋内側固定板部
１１ａ  下枠支持用突条部
１１ｂ  縦枠支持用突条部
１１ｃ  ネジ受け部
１２  下側固定板部
１２ａ  被係合部
１２ｂ  ネジ受け部
１３  浮かし枠板部
１３ａ  浮かし枠上側フランジ部
１３ｂ  浮かし枠上側面
１３ｃ  浮かし枠前側面
１３ｄ  浮かし枠下側面
１３ｅ  浮かし枠下側フランジ部
１４  上側板部
１４ａ  ネジ受け部
１５  密閉板
１５ａ  密閉板本体部
１５ｂ  密閉板上側フランジ部
１５ｃ  下側折曲片部
１５ｄ  上側折曲片部
１５ｅ  中央折曲片部
１６  バックアップ材
１７  凹部閉塞用シール
１８  現場シールストッパ
１９ａ〜１９ｄ  現場シール
２０  下枠装着部材空洞部
２  下枠
２１  内障子用レール
２２  外障子用レール
２３  網戸用レール
２４  下枠屋内側フランジ部
２４ａ  下端部
２４ｂ  床材端部固定フランジ部
２５  下枠屋外側フランジ部
２６  ネジ受け部
３  縦枠
４  上枠
５  建物
５１  開口部
５２  ベランダ床面
５３  床スラブ面
５４  断熱材
５５  支持脚
５６  大引き材
５７  根太
５８  合板
５９  床材
５９ａ  床材枠部
５９ｂ  床材面
６０  開口下側形成部
６１  アンカーボルト
６２  固定部材
６２ａ  係合爪
７１  外障子
７２  内障子
８１  ネジ
８２  皿ネジ
【図１】
0006704242.tif 000002
【図２】
0006704242.tif 000003
【図３】
0006704242.tif 000004
【図４】
0006704242.tif 000005
【図５】
0006704242.tif 000006
【図６】
0006704242.tif 000007
【図７】
0006704242.tif 000008
【図８】
0006704242.tif 000009
【図９】
0006704242.tif 000010
【図１０】
0006704242.tif 000011
【図１１】
0006704242.tif 000012
【図１２】
0006704242.tif 000013
【図１３】
0006704242.tif 000014
【図１４】
0006704242.tif 000015